(57)【要約】【課題】各個人に対する通行可能な区域の設定変更を容易且つ正確に行い、入力作業の大幅な省力化、信頼性の向上を図る。【解決手段】各個人に対する通行可能な区域を組み合わせた区域グループの設定された通行可否設定テーブルおよび該通行可否設定テーブルに関連して通行の履歴や警報の履歴を収集するための設定画面を有する設定端末１１と、通行可否設定テーブルの内容を記憶して、この記憶内容に基づいて個人認証を行う少なくとも１台の個人識別コントローラ１３と、個人を特定するためのカード読取装置１４と、電気錠１５とを備え、設定端末が、通行可否設定テーブルに設定される区域グループを各個人毎に通行可能な区域を任意に組み合わせて設定し、個人識別コントローラが、記憶されている通行可否設定テーブルの内容とカード読取装置からのカード番号の照合の結果に基づいて電気錠を制御して通行を管理する。【選択図】　　　　図１
2004013484.tif 000002
【特許請求の範囲】
【請求項１】
各個人に対する通行可能な区域を組み合わせた区域グループの設定された通行可否設定テーブルおよび該通行可否設定テーブルに関連して通行の履歴や警報の履歴を収集するための設定画面を有する設定端末と、
該設定端末にネットワークを介して接続され、上記通行可否設定テーブルの内容を記憶して、該記憶内容に基づいて個人認証を行う少なくとも１台の個人識別コントローラと、
該個人識別コントローラに接続され、個人を特定するための個人特定手段と、
上記個人識別コントローラに接続された電気錠とをそれぞれ１台以上
を備え、上記設定端末は、上記通行可否設定テーブルに設定される区域グループを各個人毎に通行可能な区域を任意に組み合わせて設定し、上記個人識別コントローラは、上記記憶されている通行可否設定テーブルの内容と上記個人特定手段からの特定情報の照合の結果に基づいて上記電気錠を制御して通行を管理することを特徴とする出入管理装置。
【請求項２】
上記通行可否設定テーブルには、共用部として全ての人が通行できる区域を組み合わせた区域グループが定義されると共に、所定数のテナント占有部として当該テナントに属する人のみが通行できる区域を組み合わせた区域グループが定義されていることを特徴とする請求項１記載の出入管理装置。
【請求項３】
上記区域グループは属性として、区域グループを区別するための区域グループ番号または区域グループとして組み込まれた任意の区域番号を有することを特徴とする請求項２記載の出入管理装置。
【請求項４】
上記区域を組み合わせた区域グループは、別の区域グループに含ませることができることを特徴とする請求項１〜３のいずれかに記載の出入管理装置。
【請求項５】
上記個人識別コントローラに上記通行可否設定テーブルを設定する際に、該通行可否設定テーブル内に区域グループが設定されている場合には、上記区域グループを該区域グループに含まれる区域番号に展開し管理対象を抽出してから設定することを特徴とする請求項１〜４のいずれかに記載の出入管理装置。
【請求項６】
上記個人特定手段としてカード読取装置または指紋読取装置を用いたことを特徴とする請求項１〜５のいずれかに記載の出入管理装置。
【請求項７】
各個人に対する通行可能な区域を組み合わせた区域グループを通行可否設定テーブルに設定し、該通行可否設定テーブルに関連して通行の履歴や警報の履歴を収集するための設定画面を表示する出入管理方法であって、
上記通行可否設定テーブルの各行に個人を特定するための特定情報を順に表示する第１のステップと、
上記特定情報毎の各列に現状の通行可能な区域グループ番号および区域番号の少なくとも一方を表示する第２のステップと、
上記特定情報毎に通行可能な区域グループ番号および区域番号の少なくとも一方を選択し、該選択された行に対応する特定情報の区域グループ番号および区域番号の少なくとも一方を上記通行可否設定テーブルより取り出し、編集画面として表示する第３のステップと、
操作対象となる区域グループ番号および区域番号の少なくとも一方を操作選択し、該操作選択状態に応じて上記編集画面に基づき上記選択された行に対応する特定情報の区域グループ番号および区域番号の少なくとも一方を編集する第４のステップと、
上記特定情報に割り当てられた区域の個数が所定の制限数以下であるか否かを判別し、該区域の個数が制限数以下の場合は上記各ステップの動作を繰り返し、制限数を越えた場合はエラー表示を行う第５のステップと
を含むことを特徴とする出入管理方法。
【請求項８】
上記第４のステップでは、上記選択された行に対応する特定情報の区域グループ番号および区域番号の少なくとも一方を上記選択された特定情報の通行可否設定テーブルに追加または削除し、上記選択された特定情報の通行可否設定テーブル中の記録情報を取り出し、該記録情報より選択された区域グループ番号および区域番号の少なくとも一方を追加または削除することを特徴とする請求項７記載の出入管理方法。
【請求項９】
上記特定情報は、カード番号または指紋であることを特徴とする請求項７または８記載の出入管理方法。
【発明の詳細な説明】
【０００１】
【発明の属する技術分野】
この発明は、人や物の出入りを管理する出入管理方法およびその装置に関するものである。
【０００２】
【従来の技術】
近年、ビルや建物の扉にカード読取装置や電気錠を備え、カードの識別番号によりそのカードを所持する人や物が通行して良いか判断し扉の電気錠を制御するような出入管理装置（セキュリティシステム）が普及してきている。
【０００３】
図４は、従来の出入管理装置を示すシステム構成図である。
図４において、１は設定端末、２はネットワーク、３１〜３ｎは個人識別コントローラ、４１〜４ｎはカード読取装置、５１〜５ｎは電気錠である。
ここで、力ード読取装置４１〜４ｎや電気錠５１〜５ｎを制御し個人認証を行う個人識別コントローラ３１〜３ｎと、通行の条件を設定したり、通行の履歴や警報の履歴を収集するための設定画面を備えた設定端末１がネットワーク２により接続されている。
【０００４】
一般的に個人識別コントローラ３１〜３ｎはマイコンをべースにしたコントローラ、設定端末１はパソコンやワークステーションで実現される。個人識別コントローラは扉の数や運用形態により１台から複数台接続される。
設定端末１には、図５に示すようなカード番号と通行可能な区域を識別するための区域番号に対する通行可否を設定するテーブルが備えられており、カード番号Ａを持つ人は区域番号０００１，０００２，０００５を通行でき、カード番号Ｂを持つ人は０００１，０００３，０００５を、カード番号Ｃを持つ人は０００１，０００４，０００５を通行できるといった設定を設定者が設定端末１の画面より通行可否設定テーブルに行い運用にあわせた出入管理を行う。
【０００５】
この通行可否設定テーブルの内容はそれぞれの区域の扉を制御する個人識別コントローラ３１〜３ｎに必要な部分だけ設定変更時や定期的に送信され、個人識別コントローラ３１〜３ｎ内に記憶される扉を通行する場合の個人識別コントローラ３１〜３ｎの処理を、図６を参照して説明する。
ステップＳ１において、カード読取装置４１〜４ｎよりカード番号を読み取り、ステップＳ２において、そのカード番号と個人識別コントローラ３１〜３ｎに該当する区域番号を参照し、通行させて良いかを判断する。通行可ならば、ステップＳ３において、電気錠５１〜５ｎを解錠し、通行できるようにする。また、カード読取装置４１〜４ｎに備えた表示器やブザーなどで通行可を示す。ステップＳ４において、扉が開かれたことを検出し閉じられたことを確認して電気錠５１〜５ｎを施錠する。所定時間開かれない場合にも施錠する。以上のように通行可否設定テーブルに設定されたように各区域の出入が管理される。
【０００６】
次に、設定端末１での通行可否設定テーブルの設定処理を、図７を参照して説明する。
ステップＳ１１において、通行可否設定テーブルを、カード番号をキーにして一覧を表示させる。ステップＳ１２において、一覧上の変更対象のカード番号が選択されるのを待つ。ステップＳ１３において、通行を許可する区域番号の入力完了を待つ。ステップＳ１４において、入力内容を通行可否設定テーブルに反映させる。
【０００７】
【発明が解決しようとする課題】
ところで、上記のような従来の出入管理装置は、以下のような問題点があった。
従来の出入管理装置の設定端末では、各個人ごとに通行可能な区域を設定するため、区域の数が多いビルになると通行可否設定テーブルの設定は非常に手間のかかる作業となる。例えばテナントビルであれば、ビル内の共用部はすべての人に通行可能を設定する必要があるが、テナントの占有部はテナントに属す人だけを通行可能にする。さらに、テナント内でもテナント内の共用部はテナント内のすべての人に通行可能を設定する必要があるが、テナント内の特定の区域については特定の人だけを通行可能に設定することが想定される。従って、従来装置では、各個人に対する通行可能な区域の設定変更に非常に手間が掛かるという問題点があった。
【０００８】
この発明は、上記のような問題点を解決するためになされたもので、各個人に対する通行可能な区域の設定変更を容易に行うことができる作業性の優れた出入管理方法および出入管理装置を提供することを目的としている。
【０００９】
【課題を解決するための手段】
この発明に係る出入管理装置は、各個人に対する通行可能な区域を組み合わせた区域グループの設定された通行可否設定テーブルおよび該通行可否設定テーブルに関連して通行の履歴や警報の履歴を収集するための設定画面を有する設定端末と、該設定端末にネットワークを介して接続され、上記通行可否設定テーブルの内容を記憶して、該記憶内容に基づいて個人認証を行う少なくとも１台の個人識別コントローラと、該個人識別コントローラに接続され、個人を特定するための個人特定手段と、上記個人識別コントローラに接続された電気錠とをそれぞれ１台以上を備え、上記設定端末が、上記通行可否設定テーブルに設定される区域グループを各個人毎に通行可能な区域を任意に組み合わせて設定し、上記個人識別コントローラが、上記記憶されている通行可否設定テーブルの内容と上記個人特定手段からの特定情報の照合の結果に基づいて上記電気錠を制御して通行を管理するものである。
【００１０】
また、この発明に係る出入管理装置は、上記通行可否設定テーブルには、共用部として全ての人が通行できる区域を組み合わせた区域グループが定義されると共に、所定数のテナント占有部として当該テナントに属する人のみが通行できる区域を組み合わせた区域グループが定義されているものである。
【００１１】
また、この発明に係る出入管理装置は、上記区域グループは属性として、区域グループを区別するための区域グループ番号または区域グループとして組み込まれた任意の区域番号を有するものである。
【００１２】
また、この発明に係る出入管理装置は、上記区域を組み合わせた区域グループを、別の区域グループに含ませることができるものである。
【００１３】
また、この発明に係る出入管理装置は、上記個人識別コントローラに上記通行可否設定テーブルを設定する際に、該通行可否設定テーブル内に区域グループが設定されている場合には、上記区域グループを該区域グループに含まれる区域番号に展開し管理対象を抽出してから設定するものである。
【００１４】
また、この発明に係る出入管理装置は、上記個人特定手段としてカード読取装置または指紋読取装置を用いたものである。
【００１５】
また、この発明に係る出入管理方法は、各個人に対する通行可能な区域を組み合わせた区域グループを通行可否設定テーブルに設定し、該通行可否設定テーブルに関連して通行の履歴や警報の履歴を収集するための設定画面を表示する出入管理方法であって、上記通行可否設定テーブルの各行に個人を特定するための特定情報を順に表示する第１のステップと、上記特定情報毎の各列に現状の通行可能な区域グループ番号および区域番号の少なくとも一方を表示する第２のステップと、上記特定情報毎に通行可能な区域グループ番号および区域番号の少なくとも一方を選択し、該選択された行に対応する特定情報の区域グループ番号および区域番号の少なくとも一方を上記通行可否設定テーブルより取り出し、編集画面として表示する第３のステップと、操作対象となる区域グループ番号および区域番号の少なくとも一方を操作選択し、該操作選択状態に応じて上記編集画面に基づき上記選択された行に対応する特定情報の区域グループ番号および区域番号の少なくとも一方を編集する第４のステップと、上記特定情報に割り当てられた区域の個数が所定の制限数以下であるか否かを判別し、該区域の個数が制限数以下の場合は上記各ステップの動作を繰り返し、制限数を越えた場合はエラー表示を行う第５のステップとを含むものである。
【００１６】
また、この発明に係る出入管理方法は、上記第４のステップでは、上記選択された行に対応する特定情報の区域グループ番号および区域番号の少なくとも一方を上記選択された特定情報の通行可否設定テーブルに追加または削除し、上記選択された特定情報の通行可否設定テーブル中の記録情報を取り出し、該記録情報より選択された区域グループ番号および区域番号の少なくとも一方を追加または削除するものである。
【００１７】
また、この発明に係る出入管理方法は、上記特定情報が、カード番号または指紋である。
【００１８】
【発明の実施の形態】
以下、この発明の実施の形態を、図に基づいて説明する。
実施の形態１．
図１は、この発明の実施の形態１による出入管理装置を示すシステム構成図である。
図１において、１１は例えばパソコンやワークステーションで実現可能な設定端末であって、通行の履歴や警報の履歴を収集するための設定画面を備えている。１２は設定端末１が接続されたネットワーク、１３１〜１３ｎはネットワーク１２に接続され、マイコンをべースにしたコントローラからなり、扉の数や運用形態により１台から複数台接続される個人識別コントローラであって、ここでは複数台接続された場合を示している。１４１〜１４ｎは個人識別コントローラ１３１〜１３ｎにそれぞれ接続され、個人を特定するための個人特定手段としてのカード読取装置である。また、このカード読取装置１４１〜１４ｎの代わりに、図示していないが、指紋読取装置を用いても良い。１５１〜１５ｎは同じく個人識別コントローラ１３１〜１３ｎにそれぞれ接続された電気錠である。なお、個人識別コントローラ１３１〜１３ｎは、力ード読取装置１４１〜１４ｎや電気錠１５１〜１５ｎを制御し個人認証を行う。
【００１９】
図２は、この発明の実施の形態１における通行可能な区域を組み合わせた場合の一例を示す図である。
図２において、「共用部」として全ての人が通行できる区域を組み合わせた区域グループが定義され、「テナントｘ占有部」としてテナントｘに属する人のみが通行できる区域を組み合わせた区域グループが定義されている。区域グループは属性として、区域グループを区別するための区域グループ番号、区域グループを容易に区別するための区域グループ名称、区域グループとして組み込まれた任意の区域番号を持つ。なお、複数の区域グループで同じ区域番号を含んでも構わない。また、区域番号と区域グループ番号を区別するために番号体系を区別する必要がある。この例では区域グループ番号は先頭をＧとしている。
【００２０】
図３は、区域グループを設定端末の通行可否設定テーブルに設定するための手順を示すフローチャートである。
次に、この図３を参照して、区域グループを設定端末１１の通行可否設定テーブルに設定する手順を説明する。
先ず、ステップＳ２１において、通行可否設定テーブルの行表示を行う。つまり、ステップＳ２１では、カード番号をキーにして各行にカード番号を順に表示する。次に、ステップＳ２２において、区域番号、または区域グループ番号を列方向に表示する。つまり、ステップＳ２２では、カード番号ごとの各列に現状の通行可能な区域グループ番号、または区域番号を表示する。次に、ステップＳ２３において、行の選択待ち、つまり、カード番号ごとに通行可能な区域グループ、または、区域番号が選択されるのを待つ。
【００２１】
次に、ステップＳ２４において、ステップＳ２３で選択された行に対応するカード番号のレコードを取り出し、区域番号、または区域グループの編集画面を表示する。つまり、ステップＳ２４では、ステップＳ２３で選択されたカード番号に対して追加、または削除される区域グループ番号、または区域番号を選択するための画面を表示する。次に、ステップＳ２５において、操作対象となる区域グループ番号、または区域番号が選択されるのを待つ。
【００２２】
次に、ステップＳ２６において、ステップＳ２５で選択された行に対応するカード番号のレコードを取り出し、選択状態に応じて編集を行う。つまり、ステップＳ２６では、ステップＳ２５で選択された区域グループ番号、または、区域番号を選択されたカード番号の通行可否設定テーブルに追加、または削除する。ここで、選択されたカード番号の通行可否設定テーブル中のレコード（記録情報）を取り出し、選択された区域グループ番号、または、区域番号を追加、または、削除する。個人識別コントローラ１３１〜１３ｎが記憶できる通行可否設定テーブルのサイズには制限があり、区域を通行可能なカード番号の個数も制限される。
【００２３】
そのため、ステップＳ２７においては、区域に割り当てられたカードの個数を確認する。区域グループ番号が設定されていれば、それに含まれている区域番号を展開して数える。つまり、ステップＳ２７では、区域に割り当てられたカードの個数が制限数以下であるか否かを判別し、区域に割り当てられたカードの個数が制限数以下であれば、ステップＳ２１に戻って上述の動作を繰り返す。一方、ステップＳ２７で区域に割り当てられたカード数が制限数以下でなければ、ステップＳ２８において、区域に割り当てられたカードの個数が制限数を越えた場合のエラー表示を行う。
【００２４】
さらに、区域を組み合わせた区域グループは別の区域グループに含ませることができるようにすれば、より細かな設定や、繰り返しの設定を容易に行うことができる。ただし、この場合には、再帰的に設定されることがないようにエラーチェックを行う必要がある。
【００２５】
なお、個人識別コントローラ１３１〜１３ｎに通行可否設定テーブルを設定する際、この通行可否設定テーブル内に区域グループ番号が設定されている場合には、グループに含まれる区域番号に展開し管理対象を抽出してから設定する。
【００２６】
このようにして、本実施の形態では、各個人に通行可能な区域を設定するためにそれぞれについて細かな設定を行うことなく、設定者が自由に意味付けした区域のまとまりで設定することができるため、入力作業を大幅に省力化すると共に、誤って通行できるように、または、通行できないように設定することを軽減することができる。
【００２７】
また、設定端末が個人識別コントローラに通行可否設定テーブルを設定する場合には、区域グループを区域番号に展開することで、区域番号でしか処理できない従来の個人識別コントローラを改造する必要がなく、処理能力に余裕がない個人識別コントローラで区域グループを展開するような処理を行う必要がないため高速に動作させることが可能になる。
【００２８】
【発明の効果】
以上説明したように、この発明によれば、各個人に対する通行可能な区域を組み合わせた区域グループの設定された通行可否設定テーブルおよび該通行可否設定テーブルに関連して通行の履歴や警報の履歴を収集するための設定画面を有する設定端末と、該設定端末にネットワークを介して接続され、上記通行可否設定テーブルの内容を記憶して、該記憶内容に基づいて個人認証を行う少なくとも１台の個人識別コントローラと、該個人識別コントローラに接続され、個人を特定するための個人特定手段と、上記個人識別コントローラに接続された電気錠とをそれぞれ１台以上を備え、上記設定端末が、上記通行可否設定テーブルに設定される区域グループを各個人毎に通行可能な区域を任意に組み合わせて設定し、上記個人識別コントローラが、上記記憶されている通行可否設定テーブルの内容と上記個人特定手段からの特定情報の照合の結果に基づいて上記電気錠を制御して通行を管理するので、各個人に対する通行可能な区域の設定変更を容易且つ正確に行うことができ、入力作業の大幅な省力化、信頼性の向上を図ることができるという効果がある。
【００２９】
また、この発明によれば、上記通行可否設定テーブルには、共用部として全ての人が通行できる区域を組み合わせた区域グループが定義されると共に、所定数のテナント占有部として当該テナントに属する人のみが通行できる区域を組み合わせた区域グループが定義されているので、入力作業の大幅な省力化、信頼性の向上に寄与できるという効果がある。
【００３０】
また、この発明によれば、上記区域グループは属性として、区域グループを区別するための区域グループ番号または区域グループとして組み込まれた任意の区域番号を有するので、入力作業の大幅な省力化、信頼性の向上に寄与できるという効果がある。
【００３１】
また、この発明によれば、上記区域を組み合わせた区域グループを、別の区域グループに含ませることができるので、再帰的に設定されることがないようにエラーチェックを行う必要があるものの、より細かな設定や、繰り返しの設定を容易に行うことができるという効果がある。
【００３２】
また、この発明によれば、上記個人識別コントローラに上記通行可否設定テーブルを設定する際に、該通行可否設定テーブル内に区域グループが設定されている場合には、上記区域グループを該区域グループに含まれる区域番号に展開し管理対象を抽出してから設定するので、区域番号でしか処理できない従来の個人識別コントローラを改造する必要がなく、処理能力に余裕がない個人識別コントローラで区域グループを展開するような処理を行う必要がないため高速に動作させることが可能になるという効果がある。
【００３３】
また、この発明によれば、上記個人特定手段としてカード読取装置または指紋読取装置を用いたので、カードや指紋など任意の形態の認識方式を用いる出入管理装置に対応できるという効果がある。
【００３４】
また、この発明によれば、各個人に対する通行可能な区域を組み合わせた区域グループを通行可否設定テーブルに設定し、該通行可否設定テーブルに関連して通行の履歴や警報の履歴を収集するための設定画面を表示する出入管理方法であって、上記通行可否設定テーブルの各行に個人を特定するための特定情報を順に表示する第１のステップと、上記特定情報毎の各列に現状の通行可能な区域グループ番号および区域番号の少なくとも一方を表示する第２のステップと、上記特定情報毎に通行可能な区域グループ番号および区域番号の少なくとも一方を選択し、該選択された行に対応する特定情報の区域グループ番号および区域番号の少なくとも一方を上記通行可否設定テーブルより取り出し、編集画面として表示する第３のステップと、操作対象となる区域グループ番号および区域番号の少なくとも一方を操作選択し、該操作選択状態に応じて上記編集画面に基づき上記選択された行に対応する特定情報の区域グループ番号および区域番号の少なくとも一方を編集する第４のステップと、上記特定情報に割り当てられた区域の個数が所定の制限数以下であるか否かを判別し、該区域の個数が制限数以下の場合は上記各ステップの動作を繰り返し、制限数を越えた場合はエラー表示を行う第５のステップとを含むので、各個人に対する通行可能な区域の設定変更を容易且つ正確に行うことができ、入力作業の大幅な省力化、信頼性の向上を図ることができるという効果がある。
【００３５】
また、この発明によれば、上記第４のステップでは、上記選択された行に対応する特定情報の区域グループ番号および区域番号の少なくとも一方を上記選択された特定情報の通行可否設定テーブルに追加または削除し、上記選択された特定情報の通行可否設定テーブル中の記録情報を取り出し、該記録情報より選択された区域グループ番号および区域番号の少なくとも一方を追加または削除するので、入力作業の大幅な省力化、信頼性の向上に寄与できるという効果がある。
【００３６】
また、この発明に係る出入管理方法は、上記特定情報が、カード番号または指紋であるので、カードや指紋など任意の形態の認識方式を用いる出入管理方法に対応できるという効果がある。
【図面の簡単な説明】
【図１】この発明の実施の形態１による出入管理装置を示すシステム構成図である。
【図２】この発明の実施の形態１による出入管理装置における区域グループの定義例を示す図である。
【図３】この発明の実施の形態１による出入管理装置における通行可否設定テーブルを設定するための手順を示す図である。
【図４】従来の出入管理装置を示すシステム構成図である。
【図５】従来の出入管理装置における通行可否テーブルを示す図である。
【図６】従来の出入管理装置における個人識別コントローラの通行可否判定処理を示す図である。
【図７】従来の出入管理装置における設定端末での通行可否設定テーブルの設定処理を示す図である。
【符号の説明】
１１　設定端末、　１２　ネットワーク、　１３１〜１３ｎ個人識別コントローラ、　１４１〜１４ｎカード読取装置、　１５１〜１５ｎ電気錠。
【図１】
2004013484.tif 000003
【図２】
2004013484.tif 000004
【図３】
2004013484.tif 000005
【図４】
2004013484.tif 000006
【図５】
2004013484.tif 000007
【図６】
2004013484.tif 000008
【図７】
2004013484.tif 000009